【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  直交周波数分割多重化（ＯＦＤＭ）信号から記号タイミングオフセット及びキャリア周波数エラーを取り出すシステムであって、
前記システムは一連のＯＦＤＭ記号を表すＯＦＤＭ変調信号を受信する手段（４５）を有し、
各ＯＦＤＭ記号は前部と後部を含み、前部及び後部は実質的に等価の所定の位相と、所定の時間重み関数に従って時間的に重み付けされた振幅を有し、前記受信手段は受信信号をその出力へ与え、
さらに、各受信ＯＦＤＭ記号の記号境界位置を表す複数の信号ピークを有する境界信号を発生させるピーク発生手段（１１０）を備え、各信号ピークは各受信ＯＦＤＭ記号の前部と後部の間の振幅と位相の対応関係に応じて発生され、
境界信号の信号ピーク検出能力を増加させる手段（１３５）を有し、前記検出能力増加手段は境界信号の複数のセグメントを加算的に重畳する手段（１４０）と、境界信号に応答して発生される信号にフィルタリングを施す手段（１４５）とを含み、前記検出能力増加手段は所定数のセグメントに対応し信号対雑音比が改善された強調された信号ピークを出力し、
検出能力増強手段からの少なくとも１つの強調された信号ピーク出力から記号境界位置を示す時間位置を形成する手段（２００）を有し、前記時間位置は受信ＯＦＤＭ信号の記号タイミングオフセットを表し、
少なくとも１つの強調された信号ピークから決定される時間位置に対応する受信ＯＦＤＭ信号キャリア周波数エラーを取り出す手段（２０５）を有するシステム。
【請求項２】
前記ピーク発生手段は、
各受信ＯＦＤＭ記号の前部と後部の間の複素共役積を形成する手段を含む請求項１のシステム。
【請求項３】
前記ピーク発生手段は、
前記受信信号と、前記受信信号を所定の時間だけ遅延して得られる遅延複製信号の間の複素共役積を形成する手段（１２７）を含み、前記所定の時間はＯＦＤＭ記号周期よりも小さい請求項２のシステム。
【請求項４】
前記検出能力増加手段は、
各々が含まれる複数の信号ピークのうちの１つを有する、境界信号の所定数のセグメントを重畳する重畳手段（１６５）と、
重畳手段から出力される重畳済みの所定数のセグメントにわたって重畳済みの信号レベルを蓄積することにより、信号対雑音比が改善された累積信号ピークを有する累積信号を発生させる手段（１６０）とを含む請求項１のシステム。
【請求項５】
直交周波数分割多重化（ＯＦＤＭ）信号から記号タイミングオフセット及びキャリア周波数エラーを取り出す方法であって、
一連のＯＦＤＭ記号を表すＯＦＤＭ変調信号を受信するステップを含み、
各ＯＦＤＭ記号は前部と後部を含み、前部及び後部は実質的に等価の所定の位相と、所定の時間重み関数に従って時間的に重み付けされた振幅を有し、前記受信手段は受信信号をその出力へ与え、
さらに、各受信ＯＦＤＭ記号の記号境界位置を表す複数の信号ピークを有する境界信号を発生させるステップを含み、
各信号ピークは各受信ＯＦＤＭ記号の前部と後部の間の振幅と位相の対応関係に応じて発生され、
境界信号の信号ピーク検出能力を増加させるステップを含み、
前記検出能力増加ステップは、境界信号の複数のセグメントを加算的に重畳し、境界信号にフィルタリングを施して検出能力増加ステップにより発生される複数の強調された信号ピークの信号対雑音比を改善するステップを含み、
検出能力増強手段からの少なくとも１つの強調された信号ピークから記号境界の時間位置を決定するステップを含み、
前記時間位置は受信ＯＦＤＭ信号の記号タイミングオフセットを表し、
少なくとも１つの強調された信号ピークから決定される時間位置に対応する受信ＯＦＤＭ信号キャリア周波数エラーを取り出すステップを含む方法。
【請求項６】
前記境界信号発生ステップは、
各受信ＯＦＤＭ記号の前部と後部の間の複素共役積を形成するステップを含み、前記信号ピークの振幅エンベロープは前記所定の時間重み関数に対応する請求項５の方法。
【請求項７】
前記加算的重畳ステップは、
各々が信号ピークを含む、境界信号の所定数のセグメントを重畳し、
重畳済みの信号レベルを所定数の重畳済みセグメントにわたって蓄積することにより、信号対雑音比が改善された累積信号ピークを有する累積信号を発生させステップを含む請求項５の方法。
【請求項８】  直交周波数分割多重化（ＯＦＤＭ）信号から記号タイミングオフセット及びキャリア周波数エラーを取り出すダイバーシティシステムであって、
各々が複数のＯＦＤＭ変調済み周波数キャリア及び一連のＯＦＤＭ記号を包含する上側波帯及び下側波帯の両方においてＯＦＤＭ変調信号を送信する送信機（２５）と、
上側波帯のＯＦＤＭ変調信号を受信し、第１の受信信号出力と、下側波帯のＯＦＤＭ変調信号と、第２の信号出力とを与える受信機（１５０）と、
第１の受信信号中のＯＦＤＭ記号に対応する第１の記号タイミングオフセットを発生させる第１の取り出し手段（３１６）と、
第２の受信信号中のＯＦＤＭ記号に対応する第２の記号タイミングオフセットを発生させる第２の取り出し手段（３２０）と、
第１の記号タイミングオフセットをその所定の時間的一貫性に基づき有効化する第１の有効化手段（３４０Ｕ）と、
第２の記号タイミングオフセットをその所定の時間的一貫性に基づき有効化する第２の有効化手段（３４０Ｌ）と、
第１及び第２の有効化手段からの信号出力に応答して、第１及び第２の記号タイミングオフセットから最適の記号タイミングオフセットを選択する選択する（３９０）と、
最適記号タイミングオフセットを用いて一連のＯＦＤＭ記号のうちの少なくとも１つの記号を復調する手段（３７０）とより成るダイバーシティシステム。
【請求項９】
選択手段は、
有効な第１の記号タイミングオフセットを示す第１の有効化手段の出力及び無効の第２の記号タイミングオフセットを示す第２の有効化手段の出力に応答して第１の記号タイミングオフセットを選択する手段と、
無効の第１の記号タイミングオフセットを示す第１の有効化手段の出力及び有効な第２の記号タイミングオフセットを示す第２の有効化手段の出力に応答して第２の記号タイミングオフセットを選択する手段とを含む請求項８のシステム。
【請求項１０】
第１及び第２の取り出し手段はそれぞれ、
受信手段から出力される第１及び第２の受信信号のそれぞれにおける各受信ＯＦＤＭ記号の記号境界位置を表す複数の信号ピークを有する境界信号を発生させるピーク発生手段と、
境界信号の信号ピーク検知能力を増加させる手段と、
検知能力増加手段から出力される少なくとも１つの強調されたピークから信号境界位置を示す時間位置を決定する手段とを含む請求項８のシステム。
【請求項１１】
直交周波数分割多重化（ＯＦＤＭ）信号から記号タイミングオフセット及びキャリア周波数エラーを取り出すダイバーシティ方法であって、
各々が複数のＯＦＤＭ変調済み周波数キャリア及び一連のＯＦＤＭ記号を包含する上側波帯及び下側波帯の両方においてＯＦＤＭ変調信号を送信し、
上側波帯のＯＦＤＭ変調信号を受信し、第１の受信信号出力と、下側波帯のＯＦＤＭ変調信号と、第２の信号出力とを与え、
第１の受信信号中のＯＦＤＭ記号に対応する第１の記号タイミングオフセットを発生させ、
第２の受信信号中のＯＦＤＭ記号に対応する第２の記号タイミングオフセットを発生させ、
第１の記号タイミングオフセットをその所定の時間的一貫性に基づき有効化し、
第２の記号タイミングオフセットをその所定の時間的一貫性に基づき有効化し、
第１及び第２の有効化ステップからの信号出力に応答して、第１及び第２の記号タイミングオフセットから最適の記号タイミングオフセットを選択し、
最適記号タイミングオフセットを用いて一連のＯＦＤＭ記号のうちの少なくとも１つの記号を復調するステップより成るダイバーシティ方法。
【請求項１２】
最適の記号タイミングオフセット選択ステップは、
有効な第１の記号タイミングオフセット及び無効の第２の記号タイミングオフセットに応答して第１の記号タイミングオフセットを選択し、
無効の第１の記号タイミングオフセット及び有効な第２の記号タイミングオフセットに応答して第２の記号タイミングオフセットを選択するステップを含む請求項１１の方法。
【請求項１３】
第１の記号タイミングオフセットを発生させるステップ及び第２の記号タイミングオフセットを発生させるステップはそれぞれ、
受信ステップにより出力される第１及び第２の受信信号のそれぞれにおける各受信ＯＦＤＭ記号の記号境界位置を表す複数の信号ピークを有する境界信号を発生させ、
境界信号の信号ピーク検知能力を増加させ、
検知能力増加ステップにより出力される少なくとも１つの強調されたピークから信号境界位置を示す時間位置を決定するステップを含む請求項１１の方法。
【請求項１４】
第１及び第２の記号タイミングオフセットを有効化するステップはそれぞれ、
前記時間位置と、検知能力増加ステップにより次々に発生される一対の強調された信号ピークにつき決定される一対の位置との間の所定の時間的相関関係に応答して有効な記号タイミングオフセットを求めるステップを含む請求項１３の方法。